(57)【要約】【課題】表示装置の表示領域の周辺部の輝度の視感的な低下を抑制しつつ消費電力を削減することができる表示装置及び輝度制御方法を提供する。【解決手段】表示装置は、略矩形の表示領域を有する表示装置であって、前記表示領域の周辺部の輝度が前記表示領域の中央部の輝度よりも小さくなるように前記表示領域の輝度を制御する制御部を有する。また、前記制御部は前記表示領域の中央部の輝度、前記表示領域の垂直端部近傍の輝度、前記表示領域の水平端部近傍の輝度、前記表示領域の頂点部近傍の輝度の順に輝度が小さくなるように輝度を制御する。【選択図】図５
2013037076.tif 000002
【特許請求の範囲】
【請求項１】
略矩形の表示領域を有する表示装置であって、
前記表示領域の周辺部の輝度が前記表示領域の中央部の輝度よりも小さくなるように前記表示領域の輝度を制御する制御部を有する表示装置。
【請求項２】
前記表示領域の中央部の輝度、前記表示領域の垂直端部近傍の輝度、前記表示領域の水平端部近傍の輝度、前記表示領域の頂点部近傍の輝度の順に輝度が小さくなる請求項１に記載した表示装置。
【請求項３】
前記表示領域の中央部の輝度より前記表示領域の水平端部近傍の輝度は小さく、かつ前記表示領域の垂直端部近傍の輝度より前記表示領域の頂点部近傍の輝度は小さい請求項１に記載した表示装置。
【請求項４】
前記表示領域の前記中央部から前記表示領域の前記周辺部に至る輝度の大きさは前記中央部から前記周辺部に至る距離に関する２次関数、４次関数または２次関数＋４次関数である請求項１に記載した表示装置。
【請求項５】
略矩形の表示領域を有する液晶パネルと、
前記液晶パネルの前記表示領域の背面に格子状に配置され、前記液晶パネルの方向に光を出射する複数の光源とを備え、
前記表示領域の周辺部における前記光源の間隔は、前記表示領域の中央部における前記光源の間隔より大きい表示装置。
【請求項６】
前記表示領域の中央部の前記光源の垂直方向の間隔と、前記表示領域の垂直端部近傍の前記光源の垂直方向の間隔との比が１対１．２で、かつ前記表示領域の中央部の前記光源の水平方向の間隔と前記表示領域の水平端部近傍の前記光源の水平方向の間隔との比が１対１．５である請求項５に記載した表示装置。
【請求項７】
略矩形の表示領域を有する液晶パネルと、
前記液晶パネルの前記表示領域の背面に配置された導光板と、
前記導光板の端部に向けて光を出射する複数の光源とを備え、
前記表示領域の周辺部における前記光源の間隔は、前記表示領域の中央部における前記光源の間隔より大きい表示装置。
【請求項８】
前記表示領域の中央部の前記光源の間隔と前記表示領域の周辺部の前記光源の間隔との比が１対１．８である請求項７に記載した表示装置。
【請求項９】
略矩形の表示領域を有する表示装置の輝度制御方法であって、
前記表示領域の周辺部の輝度が前記表示領域の中央部の輝度よりも小さくなるように前記表示領域の輝度を制御する輝度制御方法。
【請求項１０】
前記表示領域の中央部の輝度、前記表示領域の垂直端部近傍の輝度、前記表示領域の水平端部近傍の輝度、前記表示領域の頂点部近傍の輝度の順に輝度が小さくなるように前記表示領域の輝度を制御する請求項９に記載した輝度制御方法。
【発明の詳細な説明】
【技術分野】
【０００１】
本発明の実施形態は、表示装置及び輝度制御方法に関する。
【背景技術】
【０００２】
近年、液晶表示装置等の平面状の表示装置は、薄型、軽量、低消費電力といった特徴を生かして、テレビジョン、各種コンピューター機器等の画像表示装置として広く利用されている。表示装置を実現する技術は液晶以外にもいくつかあり、代表的なものにはＰＤＰ(プラズマディスプレイパネル)、有機ＥＬ(Electro Luminescence)ディスプレイなどがある。
【先行技術文献】
【特許文献】
【０００３】
【特許文献１】特開２００７−１０９６９２号公報
【発明の概要】
【発明が解決しようとする課題】
【０００４】
近年、環境問題から省エネ（省エネルギー）に関するユーザの認識が高まっており、表示装置においても更なる消費電力の低減が望まれている。
【０００５】
本発明の目的は、上記したような事情に鑑み成されたものであって、表示装置の表示領域の周辺部の輝度の視感的な低下を抑制しつつ消費電力を削減することができる表示装置及び輝度制御方法を提供することである。
【課題を解決するための手段】
【０００６】
上記目的を達成するために、実施形態によれば、表示装置は、略矩形の表示領域を有する表示装置であって、前記表示領域の周辺部の輝度が前記表示領域の中央部の輝度よりも小さくなるように前記表示領域の輝度を制御する制御部を有する。
【図面の簡単な説明】
【０００７】
【図１】第１の実施形態における表示装置の概観斜視図。
【図２】第１の実施形態における表示装置の断面図。
【図３】第１の実施形態の表示装置として構成されたデジタル放送受信機の構成を示したブロック図。
【図４】表示領域の水平方向、垂直方向、頂点方向を示した図。
【図５】表示領域の輝度の大きさの分布の例を示した図。
【図６】図５に示された輝度分布おける中央部から水平端部に至る輝度の変化を示した図。
【図７】表示領域の輝度の大きさの分布の別の例を示した図。
【図８】図７に示された輝度分布おける中央部から水平端部に至る輝度の変化を示した図。
【図９】第２の実施形態における表示装置として構成されたデジタル放送受信機の構成を示したブロック図。
【図１０】第２の実施形態におけるバックライト装置の発光素子（光源）の配置の例を示した図。
【図１１】第３の実施形態における表示装置として構成されたデジタル放送受信機の構成を示したブロック図。
【図１２】第３の実施形態におけるバックライト装置の発光素子（光源）の配置の例を示した図。
【発明を実施するための形態】
【０００８】
以下実施形態について図面を参照しながら説明する。
【０００９】
（第１の実施形態）
図１は、第１の実施形態における平面状の表示装置１の概観斜視図である。図２は、第１の実施形態における表示装置１の断面図であり、図１におけるＤＤ断面を示す。表示装置１は、筐体２と、筐体２を支持するスタンド３を備えている。
【００１０】
筐体２は前面側に液晶パネル、プラズマディスプレイパネル、有機ＥＬパネル等の表示パネル４が配置され、表示パネル４の背面側に表示パネル４を支持するシャーシ５が配置されている。シャーシ５には表示パネル４を駆動するための回路基板６や電源回路基板７が設置されている。尚、表示パネル４とシャーシ５を一体とした構造としてもよい。
【００１１】
筐体２は、筐体２の前面側と上面、底面、両側側面の一部を覆う前面ベゼル８と、筐体２の背面側と上面、底面、両側側面の一部を覆う背面ベゼル９とによって外面が囲まれている。画面１０は、表示パネル４の前面ベゼル８の窓部８ａの内側の表示領域である。
【００１２】
図３は、第１の実施形態の表示装置１として構成されたデジタル放送受信機２０の構成を示したブロック図である。デジタル放送受信機２０は、デジタル放送を受信可能であって、画面に放送番組の映像を表示するデジタルテレビ等の受信装置である。
【００１３】
アンテナ２１は、放送局２２から送信された放送電波を受信するための地上デジタル放送あるいは衛星デジタル放送用のアンテナである。チューナ２３は、地上デジタル放送、衛星デジタル放送あるいはケーブルテレビ放送の放送信号の中から所望のチャンネルの放送信号を選局する。チューナ２３は、複数のチューナユニットから構成されており、同時に複数の放送を受信することができる。
【００１４】
復調器２４は、各々のデジタル放送の変調方式に対応して復調する。地上デジタル放送の信号は、ＯＦＤＭ（Orthogonal Frequency Division Multiplexing）復調で、衛星デジタル放送の信号は、ＰＳＫ（Phase Shift Keying）復調で、ＭＰＥＧ（Moving Picture Experts Group）−ＴＳ（Transport Stream）に復調され、デコード処理部２５に出力される。
【００１５】
デコード処理部２５は、ＭＰＥＧデコーダ、映像音声デコーダ等の機能を有する。デコード処理部２５は、復調器２４から送信されたＭＰＥＧ−ＴＳデータをセクション化して、番組情報のデータをデコードする。映像ＰＥＳ（Packetized Elementary Stream）に対しては映像ＥＳ（Elementary Stream)化、音声ＰＥＳに対しては音声ＥＳ化を行って映像データ及び音声データをデコードする。
【００１６】
重畳処理部２６は、デコード処理部２５からの映像データと、バス３３を介して転送されるデータ放送やＧＵＩ（Graphical User Interface）制御データによるウィンドウ描画をプレーン管理して、映像データとの重ね合わせを行い、映像処理部２７に送る。
【００１７】
映像処理部２７は、表示パネル２９で表示可能なフォーマット（画素数、フレーム周波数、走査方式）に変換したり、表示色を任意に調整したりして、表示パネル２９に映像信号を出力して映像を表示領域３０に表示させる。
【００１８】
輝度制御部２８は、映像処理部２７が表示パネル２９に出力する映像信号とは別に表示パネル２９の輝度を制御する機能を有する。輝度制御部２８は、表示パネル２９の表示領域３０の周辺部の輝度が表示領域３０の中央部の輝度よりも小さくなるように表示領域３０の輝度を制御する。
【００１９】
表示装置１において、表示領域３０の全面にホワイト信号が入力された場合、表示領域３０で均一な輝度とすることが一般的であるが、画面の中央部から離れた表示領域３０の周辺部（図１における前面ベゼル８の近傍部）に近い部分で画面の輝度が暗くてもそれほど視感的に違和感が無い。これに着目し、表示パネル２９の表示領域３０の周辺部の輝度が表示領域３０の中央部の輝度よりも小さくなるように制御することにより、視感的な輝度低下を抑制しつつ低消費電力化を図ることができる。表示装置１の消費電力は画面の輝度にほぼ比例して大きくなるため、表示領域３０の周辺部の輝度を小さくすることにより低消費電力化を図ることができる。
【００２０】
輝度制御部２８は、表示パネル２９が、例えば、バックライトにＬＥＤ（Light Emitting Diode）を用いた液晶パネルであれば、ＬＥＤの明るさは電流駆動においてＬＥＤの定格値まではほぼ直線的に電流値に比例するため、表示領域３０内に配置された複数のＬＥＤのそれぞれの電流値を制御することによって輝度を制御することができる。また、ＰＷＭ（Pulse Width Modulation）によるパルス駆動においてもデューティと明るさはほぼ直線的な関係を示すことから、複数のＬＥＤのそれぞれのデューティを制御することによって輝度を制御することができる。
【００２１】
輝度制御部２８は、表示パネル２９が、例えば、ＰＤＰであれば、表示領域３０内に配置された複数のＰＤＰセルの放電電流を制御することにより輝度を制御することができる。
【００２２】
図３において、音声処理部３１は、デコード処理部２５から伝送されたデジタルの音声データを、スピーカ３２あるいはイヤホンで再生可能なアナログ音声信号に変換した後、スピーカ３２あるいはイヤホンに出力して音声を再生させる。なお、スピーカ３２はデジタル放送受信機２０の外部にあってもよい。またデジタル放送受信機２０と別の筐体に納められていてもよい。
【００２３】
デジタル放送受信機２０は、上記した受信動作を含むその全ての動作を制御部３４によって統括的に制御されている。制御部３４はＭＰＵ（Micro Processing Unit）３５が搭載されており、バス３３を介して接続された各構成要素を制御する。
【００２４】
ＲＡＭ（Random Access Memory）３６は、制御部３４のデータ処理に必要な各種データを格納するリードライトメモリであり、映像データ等を格納するバッファメモリとして動作する。ＲＯＭ（Read Only Memory）３７は読出し専用メモリであり、ＭＰＵ３５が実行する制御のプログラムなどを格納している。
【００２５】
フラッシュメモリ３８は、書き換え可能であり、電源を切ってもデータが消えない不揮発性の半導体メモリである。フラッシュメモリ３８は、利用者が設定した各種の設定情報等を記憶する機能を有する。
【００２６】
操作受信部３９は、操作機器４０から送信される操作信号を受信し、制御部３４に転送する。操作機器４０は、例えば、赤外線あるいはBluetooth（登録商標）等による無線通信を利用したリモコン（リモートコントローラ、remote controller）、有線式あるいは無線式キーボード等であり、操作信号を送出する。操作受信部３９は、これらリモコン、キーボード等から操作信号を受信する。
【００２７】
図４は、表示パネル２９の表示領域３０の水平方向、垂直方向、頂点方向を示した図である。図４に示すように、表示領域３０の中央部に対して右方向を水平方向、上方向を垂直方向、中央部から頂点（角部）へ向かう方向を頂点方向（対角方向）とする。中心線４１は表示領域３０を左右に２分割する中心線であり、中心線４２は表示領域３０を上下に２分割する中心線である。表示領域３０の中央部の垂直方向の端部を垂直端部、表示領域３０の中央部の水平方向の端部を水平端部、頂点を頂点部と称する。
【００２８】
図５は、表示領域３０の輝度の大きさの分布の例を示した図である。図５に示した範囲は、表示パネル２９の表示領域３０の全体の右上の４分の１の部分を示している。表示領域３０の他の４分の３の領域は、中央部に対して対称な分布となっているので省略する。図中の水平方向の目盛りは中央部と水平端部の間を１６等分した場合の目盛りであり、垂直方向の目盛りは中央部と垂直端部の間を９等分した場合の目盛りである。
【００２９】
表示領域３０の中央部の輝度を中央部輝度Ｃｃ、表示領域３０の垂直端部近傍の輝度を垂直端部輝度Ｃｖ、表示領域の水平端部近傍の輝度を水平端部輝度Ｃｈ、表示領域の頂点部近傍の輝度を頂点部輝度Ｃｄとしたとき、中央部輝度Ｃｃ、垂直端部輝度Ｃｖ、水平端部輝度Ｃｈ、頂点部輝度Ｃｄの順に輝度が小さくなるように輝度制御部２８が制御することによって、視感的な輝度低下を抑制しつつ低消費電力化を図ることができる。
【００３０】
図５においては、表示領域３０の中央部から頂点部にかけて領域Ａ１から領域Ａ８までの８個の輝度分布の領域に分けられた例を示している。中央部の輝度を１００％とし、領域Ａ１の輝度は９５〜１００％、領域Ａ２の輝度は９０〜９５％、領域Ａ３の輝度は８５〜９０％、領域Ａ４の輝度は８０〜８５％、領域Ａ５の輝度は７５〜８０％、領域Ａ６の輝度は７０〜７５％、領域Ａ７の輝度は６５〜７０％、領域Ａ８の輝度は６０〜６５％となっている。
【００３１】
１個の領域の内部では、輝度が頂点部の方向に行くに従い連続的に小さくなる。例えば、領域Ａ３内では領域Ａ２の近傍は輝度が９０％であるが、領域Ａ４の近傍は８５％であり、Ａ３領域の内部で頂点部の方向に行くに従い連続的に徐々に輝度が小さくなっている。
【００３２】
図５においては、中央部輝度Ｃｃ＞垂直端部輝度Ｃｖ＞水平端部輝度Ｃｈ＞頂点部輝度Ｃｄ＝１００％＞９０％＞７０％＞６０％となるような輝度の大きさの分布とした例が示されている。このような輝度の分布にすることにより、視感的な輝度低下を抑制しつつ消費電力を、表示領域３０全体を中央部輝度Ｃｃにした場合と比較して１０〜２０％削減することができる。
【００３３】
表示領域３０の中央部から表示領域の周辺部に至る輝度の大きさの変化、あるいは大きさの変化を表す輝度曲線は、中央部から周辺部に至る距離に関する２次関数（２次曲線）、４次関数（４次曲線）または２次関数＋４次関数（２次関数と４次関数を足し合わせた関数）とすると、視感的な輝度低下を抑制しつつ表示領域３０の周辺部で輝度を抑制することができる。
【００３４】
図６は、図５に示された輝度分布おける中央部から水平端部に至る輝度の変化を示した図である。中央部における輝度が中央部輝度Ｃｃ、水平端部近傍における輝度が水平端部輝度Ｃｈである。図６に示された輝度の曲線は、水平位置（中央部からの水平距離）に関する２次関数、４次関数または２次関数＋４次関数による曲線である。図中の水平方向の目盛りは中央部と水平端部の間を１６等分した目盛りであり、垂直方向の目盛りは中央部輝度Ｃｃを１００％とした場合のパーセントを表している。
【００３５】
図７は、表示領域３０の輝度の大きさの分布の別の例を示した図である。図７に示した範囲は、表示パネル２９の表示領域３０の全体の右上の４分の１の部分を示している。
【００３６】
表示領域３０の中央部の輝度を中央部輝度Ｃｃ、表示領域３０の垂直端部近傍の輝度を垂直端部輝度Ｃｖ、表示領域３０の水平端部近傍の輝度を水平端部輝度Ｃｈ、表示領域３０の頂点部近傍の輝度を頂点部輝度Ｃｄとしたとき、中央部輝度Ｃｃと垂直端部輝度Ｃｖは同じであり、また水平端部輝度Ｃｈと頂点部輝度Ｃｄの輝度は同じであり、中央部輝度Ｃｃより水平端部輝度Ｃｈは輝度が小さく、かつ垂直端部輝度Ｃｖより頂点部輝度Ｃｄは輝度が小さくなるように制御することによって、視感的な輝度低下を抑制しつつ低消費電力化を図ることができる。
【００３７】
図７においては、表示領域３０の中央部から水平端部にかけて領域Ｂ１から領域Ｂ８までの８個の輝度分布の領域に分けられた例を示している。中央部の輝度を１００％とし、領域Ｂ１の輝度は９５〜１００％、領域Ｂ２の輝度は９０〜９５％、領域Ｂ３の輝度は８５〜９０％、領域Ｂ４の輝度は８０〜８５％、領域Ｂ５の輝度は７５〜８０％、領域Ｂ６の輝度は７０〜７５％、領域Ｂ７の輝度は６５〜７０％、領域Ｂ８の輝度は６０〜６５％となっている。
【００３８】
１個の領域の内部では、輝度が水平端部の方向に行くに従い連続的に小さくなる。例えば、領域Ｂ３内では領域Ｂ２の近傍は輝度が９０％であるが、領域Ｂ４の近傍は８５％であり、Ｂ３領域の内部で水平端部の方向に行くに従い連続的に徐々に輝度が小さくなっている。
【００３９】
図７においては、中央部輝度Ｃｃ＞水平端部輝度Ｃｈ＝１００％＞６０％かつ垂直端部輝度Ｃｖ＞頂点部輝度Ｃｄ＝１００％＞６０％となるような輝度の大きさの分布とした例が示されている。このような輝度の分布にすることにより、視感的な輝度低下を抑制しつつ消費電力を、表示領域３０全体を中央部輝度Ｃｃにした場合と比較して１０〜２０％削減することができる。
【００４０】
図８は、図７に示された輝度分布おける中央部から水平端部に至る輝度の変化を示した図である。中央部における輝度が中央部輝度Ｃｃ、水平端部近傍における輝度が水平端部輝度Ｃｈである。図８に示された輝度の曲線は、水平位置（中央部からの水平距離）に関する２次関数、４次関数または２次関数＋４次関数による曲線である。図中の水平方向の目盛りは中央部と水平端部の間を１６等分した目盛りであり、垂直方向の目盛りは中央部輝度Ｃｃを１００％とした場合のパーセントを表している。
【００４１】
（第２の実施形態）
図９は、第２の実施形態の表示装置１として構成されたデジタル放送受信機５０の構成を示したブロック図である。この第２の実施形態の各部について、図３に示す第１の実施形態の各部と同一部分は同一符号である。この第２の実施形態が第１の実施形態と異なる点は、表示パネル５３が液晶パネルであることと映像処理部５１が液晶パネルのバックライト制御部５２の機能を有することである。
【００４２】
図１０は、デジタル放送受信機５０のバックライト装置５５の発光素子（光源）５６の配置の例を示した図である。発光素子５６は液晶パネル５３の表示領域５４の背面の基板５７に格子状に配置され、液晶パネル５３の方向に光を出射する。所謂直下型方式のバックライト装置である。発光素子５６は、例えばＬＥＤである。図１０に示した範囲は、表示パネル５３の表示領域５４の全体の右上の４分の１の部分を示している。表示領域５４の他の４分の３の領域は、中央部に対して対称な分布となっているので省略する。
【００４３】
バックライト制御部５２は、映像処理部５１が出力する映像信号に応じて表示パネル５３のバックライト装置５５の駆動信号を出力し、バックライト装置５５を駆動させる。
【００４４】
図１０に示すように、バックライト装置５５の、表示領域５４の垂直端部や水平端部のような周辺部における発光素子５６同士の間隔は、表示領域の中央部における発光素子５６同士の間隔より大きい。
【００４５】
表示領域５４の中央部の発光素子５６の間隔を中央部垂直間隔Ｌｙｃ、表示領域５４の中央部の発光素子５６の水平方向の間隔を中央部水平間隔Ｌｘｃ、表示領域５４の垂直端部近傍の発光素子５６の垂直方向の間隔を垂直端部間隔Ｌｙｅ、表示領域５４の水平端部近傍の発光素子５６の水平方向の間隔を水平端部間隔Ｌｘｅとしたとき、中央部垂直間隔Ｌｙｃと垂直端部間隔Ｌｙｅとの比が、例えば、１対１．２で、かつ中央部水平間隔Ｌｘｃと水平端部間隔Ｌｘｅとの比が１対１．５であるように発光素子５６を配置することによって、視感的な輝度低下を抑制しつつ発光素子５６の数を、表示領域５４全体を中央部垂直間隔Ｌｙｃ、中央部水平間隔Ｌｘｃの間隔で配置した場合と比較して、削減することができる。発光素子５６の数を１０〜２０％削減できることから低コスト化と低消費電力化を図ることができる。
【００４６】
前記したように、中央部垂直間隔Ｌｙｃと垂直端部間隔Ｌｙｅとの比が１対１．２で、かつ中央部水平間隔Ｌｘｃと水平端部間隔Ｌｘｅとの比が１対１．５であるように発光素子５６を配置した場合には、表示領域５４の中央部の輝度を中央部輝度Ｃｃ、表示領域５４の垂直端部近傍の輝度を垂直端部輝度Ｃｖ、表示領域５４の水平端部近傍の輝度を水平端部輝度Ｃｈ、表示領域５４の頂点部近傍の輝度を頂点部輝度Ｃｄとしたとき、Ｃｃ：Ｃｖ：Ｃｈ：Ｃｄ＝１：０．８：０．６：０．５となり、ＬＥＤの使用数量を低減し、低消費電力を図りながら、視感的な輝度低下を抑制することができる。
【００４７】
表示領域５４の中央部から表示領域の周辺部に至る発光素子５６の間隔の変化、あるいは間隔の変化を表す曲線は、中央部から周辺部に至る距離に関する２次関数（２次曲線）、４次関数（４次曲線）または２次関数＋４次関数とすると、視感的な輝度低下を抑制しつつ表示領域５４内に配置する発光素子５６の数を削減することができる。
【００４８】
（第３の実施形態）
図１１は、第３の実施形態の表示装置１として構成されたデジタル放送受信機６０の構成を示したブロック図である。この第３の実施形態の各部について、図９に示す第２の実施形態の各部と同一部分は同一符号である。この第３の実施形態が第２の実施形態と異なる点は、液晶パネル６１のバックライト装置６３が、第２の実施形態では直下型であったのに対し、第３の実施形態ではエッジライト方式であることである。
【００４９】
図１２は、デジタル放送受信機６０のバックライト装置６３の発光素子（光源）５６の配置の例を示した図である。発光素子５６は液晶パネル６１の表示領域６２の背面に配置された導光板６５の側面部に光を入射する。発光素子５６は導光板６５の側面部に対向して配置された基板６４に設置されている。図１２に示した範囲は、表示パネル５３の表示領域６２の一端の中央部から周辺部を示している。
【００５０】
図１２に示すように、バックライト装置６１の、周辺部における発光素子５６同士の間隔は、中央部における発光素子５６同士の間隔より大きい。中央部の発光素子５６の間隔を中央部間隔Ｌｃ、周辺部の発光素子５６の間隔を周辺部間隔Ｌｅとしたとき、中央部間隔Ｌｃと周辺部間隔Ｌｅとの比が、例えば、１対１．８であるように発光素子５６を配置することによって、視感的な輝度低下を抑制しつつ発光素子５６の数を、中央間隔Ｌｃの間隔で配置した場合と比較して、削減することができる。発光素子５６の数を削減できることから低コスト化と低消費電力化を図ることができる。
【００５１】
前記したように、中央部間隔Ｌｃと周辺部間隔Ｌｅとの比が、例えば、１対１．８であるように発光素子５６を配置した場合には、表示領域６２の中央部の輝度を中央部輝度Ｃｃ、表示領域６２の垂直端部近傍の輝度を垂直端部輝度Ｃｖ、表示領域６２の水平端部近傍の輝度を水平端部輝度Ｃｈ、表示領域６２の頂点部近傍の輝度を頂点部輝度Ｃｄとしたとき、Ｃｃ：Ｃｈ／Ｃｖ：Ｃｄ＝１：０．６となり、ＬＥＤの使用数量を低減し、低消費電力を図りながら、視感的な輝度低下を抑制することができる。
【００５２】
エッジライト方式の発光素子５６の中央部から周辺部に至る発光素子５６の間隔の変化、あるいは間隔の変化を表す曲線は、中央部から周辺部に至る距離に関する２次関数（２次曲線）もしくは４次関数（４次曲線）または２次関数＋４次関数とすると、視感的な輝度低下を抑制しつつ表示領域５４内に配置する発光素子５６の数を削減することができる。
【００５３】
なお、本発明は上記実施形態そのままに限定されるものではなく、実施段階ではその要旨を逸脱しない範囲で構成要素を変形して具現化できる。また、上記実施形態に開示されている複数の構成要素の適宜な組み合わせにより、種々の発明を形成できる。例えば、実施形態に示される全構成要素から幾つかの構成要素を削除してもよい。更に異なる実施形態に亘る構成要素を適宜組み合わせてもよい。
【符号の説明】
【００５４】
１  表示装置
２  筐体
３  スタンド
４  表示パネル
１０  画面
２０  デジタル放送受信機
２１  アンテナ
２３  チューナ
２４  復調器
２５  デコード処理部
２６  重畳処理部
２７  映像処理部
２８  輝度制御部
２９  表示パネル
３０  表示領域
３４  制御部
３５  ＭＰＵ
３６  ＲＡＭ
３７  ＲＯＭ
３８  フラッシュメモリ
３９  操作受信部
４０  操作機器
５０  デジタル放送受信機
５１  映像処理部
５２  バックライト制御部
５３  表示パネル
５４  表示領域
５５  バックライト装置
５６  発光素子
５７  基板
６０  デジタル放送受信機
６１  表示パネル
６２  表示領域
６３  バックライト装置
６４  基板
６５  導光板
【図１】
2013037076.tif 000003
【図２】
2013037076.tif 000004
【図３】
2013037076.tif 000005
【図４】
2013037076.tif 000006
【図５】
2013037076.tif 000007
【図６】
2013037076.tif 000008
【図７】
2013037076.tif 000009
【図８】
2013037076.tif 000010
【図９】
2013037076.tif 000011
【図１０】
2013037076.tif 000012
【図１１】
2013037076.tif 000013
【図１２】
2013037076.tif 000014